(57)【要約】【課題】センタとの間の通信処理、通信時間及び通信費用等を減少させることを可能としたプローブ情報収集システムを提供する。【解決手段】車両３が逆走状態にあることが検出された場合に、交通情報センタ５からＶＩＣＳ情報を取得し、取得したＶＩＣＳ情報が、車両３において検出された違反走行に基づく送信条件を満たしているか否か判定し、送信条件を満たしていると判定された場合に、違反走行に関する情報をプローブ情報として車両３からプローブセンタ４へ送信するように構成する。【選択図】図１０
2014010560.tif 000002
【特許請求の範囲】
【請求項１】
複数の車両と、複数の前記車両と双方向通信可能に接続されたプローブセンタとからなり、複数の前記車両から送信されたプローブ情報を前記プローブセンタが収集するプローブ情報収集システムであって、
前記車両の走行情報を取得する走行情報取得手段と、
前記車両の走行情報に基づいて、前記車両が道路に設定された規制を遵守しない走行である違反走行を行ったことを検出する違反走行検出手段と、
交通情報センタから配信される交通情報を取得する交通情報取得手段と、
前記違反走行検出手段によって前記車両が前記道路で違反走行を行ったことが検出された場合に、前記道路の周辺の前記交通情報が前記違反走行に基づく送信条件を満たすか否か判定する送信判定手段と、
前記送信判定手段によって前記交通情報が前記送信条件を満たしていると判定された場合に、前記違反走行に関する情報をプローブ情報として前記プローブセンタへ送信する情報送信手段と、を有することを特徴とするプローブ情報収集システム。
【請求項２】
前記交通情報センタは、前記プローブセンタと異なるセンタであることを特徴とする請求項１に記載のプローブ情報収集システム。
【請求項３】
前記違反走行検出手段は、前記車両が前記道路を逆走したことを前記違反走行として検出することを特徴とする請求項１又は請求項２に記載のプローブ情報収集システム。
【請求項４】
前記送信条件は、前記車両が逆走した前記道路に設定されている進行方向の規制が一時的に解除又は変更される事象が生じていることを示す情報でないことを特徴とする請求項３に記載のプローブ情報収集システム。
【請求項５】
前記送信条件は、前記車両が逆走した前記道路及び該道路と並走する道路に工事規制、事故又は災害が生じていることを示す情報でないことを特徴とする請求項４に記載のプローブ情報収集システム。
【請求項６】
前記交通情報取得手段は、前記交通情報センタで作成された作成時期の異なる複数の交通情報のいずれかを取得し、
前記違反走行検出手段によって前記車両が前記道路で違反走行を行ったことが検出された時点が、前記交通情報取得手段により取得された前記交通情報が作成された時期から所定期間以上経過しているか否か判定する経過判定手段を有し、
前記交通情報取得手段は、前記経過判定手段によって所定期間以上経過していると判定された場合に、既に取得している前記交通情報よりも作成時期が新しい交通情報を前記交通情報センタから新たに取得し、
前記送信判定手段は、新たに取得した前記交通情報に基づいて前記送信条件を満たすか否か判定することを特徴とする請求項１乃至請求項５のいずれかに記載のプローブ情報収集システム。
【請求項７】
前記交通情報取得手段は、
前記交通情報センタで作成された作成時期の異なる複数の交通情報のいずれかを取得し、
前記送信判定手段によって前記交通情報が前記送信条件を満たしていると判定された場合に、既に取得している前記交通情報よりも作成時期が新しい交通情報を前記交通情報センタから新たに取得し、
前記送信判定手段は、新たに取得した前記交通情報に基づいて前記送信条件を満たすか否かを再度判定することを特徴とする請求項１乃至請求項５のいずれかに記載のプローブ情報収集システム。
【発明の詳細な説明】
【技術分野】
【０００１】
本発明は、車両からプローブ情報を収集するプローブ情報収集システムに関する。
【背景技術】
【０００２】
近年、車両の走行案内を行い、運転者が所望の目的地に容易に到着できるようにしたナビゲーション装置が車両に搭載されていることが多い。ここで、ナビゲーション装置とは、ＧＰＳ受信機などにより自車の現在位置を検出し、その現在位置に対応する地図データをＤＶＤ−ＲＯＭやＨＤＤなどの記録媒体またはネットワークを通じて取得して液晶モニタに表示することが可能な装置である。また、近年は携帯電話機、スマートフォン、ＰＤＡ(Personal Digital Assistant)、パーソナルコンピュータ等においても上記ナビゲーション装置と同様の機能を有するものがある。
【０００３】
更に、従来のナビゲーション装置等では地図を表示するのみでなく、利用者の利便性をより向上させる為に道路の渋滞情報や事故情報等の交通情報を提供することについても行われていた。その際、利用者に提供する為の交通情報を取得するシステムとして、例えば道路交通情報通信システム（ＶＩＣＳ：登録商標）やプローブカーシステムがある。また、特に上記プローブカーシステムでは、各車両から収集した情報を基に、渋滞情報や事故情報等の一般的な交通情報以外の情報についても提供することが可能である。
【０００４】
そして、近年ではより快適に利用者に運転を行わせる為に、プローブカーシステムを用いて様々な情報を提供することが行われている。ここで、プローブカーシステムによって提供される情報の一つに、道路に設定された規制を遵守しない走行（以下、違反走行という）を行う車両に関する情報がある。このような違反走行を行う車両が自車に接近すると、自車の走行に大きな影響を与えることが予測されることから、違反走行を行う車両に関する情報を提供することは利用者にとって大きなメリットがある。そこで、例えば特開２００９−１４０００８号公報には、全国を走行する各車両の走行情報をプローブ情報として収集し、走行可能方向と逆方向に走行する車両について逆走車と認定し、逆走車に関する情報を他の車両に配信するシステムについて記載されている。
【先行技術文献】
【特許文献】
【０００５】
【特許文献１】特開２００９−１４０００８号公報（第６−７頁、図５）
【発明の概要】
【発明が解決しようとする課題】
【０００６】
ここで、上記プローブカーシステムでは、センタと車両との間で送受信される通信データ量が多いことから、通信処理の処理負担増、通信時間や通信費用の増大が問題となっていた。例えば、上記違反走行を行う車両に関する情報を収集する構成とすると、車両が違反走行を行う度に該車両からセンタへと通信データが送信されることとなる。更に、違反走行を行っているか否かは道路に設定されている規制を車両が遵守しているか否かによって判定されるが、工事や事故や災害等により道路の規制が一時的に解除又は変更される（例えば一方通行の道路が双方向通行可能になる）場合があり、その場合には実際には違反走行を行っていない多数の車両から一度に大量の通信データが送信される虞がある。
【０００７】
本発明は前記従来における問題点を解消するためになされたものであり、実際には違反走行を行っていない車両から違反走行に関するプローブ情報がプローブセンタへと送信されないように構成することによって、車両とプローブセンタとの間の不要な通信を削減することが可能となり、車両とプローブセンタとの間の通信処理、通信時間及び通信費用等を削減することを可能としたプローブ情報収集システムを提供することを目的とする。
【課題を解決するための手段】
【０００８】
前記目的を達成するため本願の請求項１に係るプローブ情報収集システム（１）は、複数の車両（３）と、複数の前記車両と双方向通信可能に接続されたプローブセンタ（４）とからなり、複数の前記車両から送信されたプローブ情報を前記プローブセンタが収集するプローブ情報収集システムであって、前記車両の走行情報を取得する走行情報取得手段（３３）と、前記車両の走行情報に基づいて、前記車両が道路に設定された規制を遵守しない走行である違反走行を行ったことを検出する違反走行検出手段（３３）と、交通情報センタ（５）から配信される交通情報を取得する交通情報取得手段（３３）と、前記違反走行検出手段によって前記車両が前記道路で違反走行を行ったことが検出された場合に、前記道路の周辺の前記交通情報が前記違反走行に基づく送信条件を満たすか否か判定する送信判定手段（３３）と、前記送信判定手段によって前記交通情報が前記送信条件を満たしていると判定された場合に、前記違反走行に関する情報をプローブ情報として前記プローブセンタへ送信する情報送信手段（３３）と、を有することを特徴とする。
【０００９】
また、請求項２に係るプローブ情報収集システム（１）は、請求項１に記載のプローブ情報収集システムであって、前記交通情報センタ（５）は、前記プローブセンタ（４）と異なるセンタであることを特徴とする。
【００１０】
また、請求項３に係るプローブ情報収集システム（１）は、請求項１又は請求項２に記載のプローブ情報収集システムであって、前記違反走行検出手段（３３）は、前記車両（３）が前記道路を逆走したことを前記違反走行として検出することを特徴とする。
【００１１】
また、請求項４に係るプローブ情報収集システム（１）は、請求項３に記載のプローブ情報収集システムであって、前記送信条件は、前記車両（３）が逆走した前記道路に設定されている進行方向の規制が一時的に解除又は変更される事象が生じていることを示す情報でないことを特徴とする。
【００１２】
また、請求項５に係るプローブ情報収集システム（１）は、請求項４に記載のプローブ情報収集システムであって、前記送信条件は、前記車両（３）が逆走した前記道路及び該道路と並走する道路に工事規制、事故又は災害が生じていることを示す情報でないことを特徴とする。
【００１３】
また、請求項６に係るプローブ情報収集システム（１）は、請求項１乃至請求項５のいずれかに記載のプローブ情報収集システムであって、前記交通情報取得手段（３３）は、前記交通情報センタ（５）で作成された作成時期の異なる複数の交通情報のいずれかを取得し、前記違反走行検出手段（３３）によって前記車両（３）が前記道路で違反走行を行ったことが検出された時点が、前記交通情報取得手段により取得された前記交通情報が作成された時期から所定期間以上経過しているか否か判定する経過判定手段（３３）を有し、前記交通情報取得手段（３３）は、前記経過判定手段によって所定期間以上経過していると判定された場合に、既に取得している前記交通情報よりも作成時期が新しい交通情報を前記交通情報センタから新たに取得し、前記送信判定手段は、新たに取得した前記交通情報に基づいて前記送信条件を満たすか否か判定することを特徴とする。
【００１４】
更に、請求項７に係るプローブ情報収集システム（１）は、請求項１乃至請求項５のいずれかに記載のプローブ情報収集システムであって、前記交通情報取得手段（３３）は、前記交通情報センタ（５）で作成された作成時期の異なる複数の交通情報のいずれかを取得し、前記送信判定手段（３３）によって前記交通情報が前記送信条件を満たしていると判定された場合に、既に取得している前記交通情報よりも作成時期が新しい交通情報を前記交通情報センタから新たに取得し、前記送信判定手段は、新たに取得した前記交通情報に基づいて前記送信条件を満たすか否かを再度判定することを特徴とする。
【発明の効果】
【００１５】
前記構成を有する請求項１に記載のプローブ情報収集システムによれば、交通情報センタから配信される交通情報が、車両において検出された違反走行に基づく送信条件を満たしていると判定された場合に、違反走行に関する情報をプローブ情報として車両からプローブセンタへ送信するので、実際には違反走行を行っていない車両から違反走行に関するプローブ情報がプローブセンタへと送信されないように構成することが可能となる。その結果、車両とプローブセンタとの間の不要な通信を削減することが可能となり、車両とプローブセンタとの間の通信処理、通信時間及び通信費用等を削減することが可能となる。
【００１６】
また、請求項２に記載のプローブ情報収集システムによれば、交通情報センタはプローブセンタと異なるセンタであるので、車両とプローブセンタとの間で通信を行うことなく、プローブ情報が送信条件を満たしているか否かを判定することが可能となる。従って、車両とプローブセンタとの間の通信処理、通信時間及び通信費用等をより削減することが可能となる。
【００１７】
また、請求項３に記載のプローブ情報収集システムによれば、特に車両が道路を逆走したことを違反走行として検出するので、実際には逆走していない車両から違反走行に関するプローブ情報がプローブセンタへと送信されないように構成することが可能となる。
【００１８】
また、請求項４に記載のプローブ情報収集システムによれば、交通情報センタから配信される交通情報が、車両が逆走した道路に設定されている進行方向の規制が一時的に解除又は変更される事象が生じていることを示す情報でない場合に、違反走行に関する情報をプローブ情報として車両からプローブセンタへ送信するので、逆走を行っていると検出された車両が実際に逆走を行っているか否かを交通情報センタから配信された交通情報に基づいて確認することが可能となる。
【００１９】
また、請求項５に記載のプローブ情報収集システムによれば、交通情報センタから配信される交通情報が、車両が逆走した道路に工事規制、事故又は災害が生じていることを示す情報でない場合に、違反走行に関する情報をプローブ情報として車両からプローブセンタへ送信するので、逆走を行っていると検出された車両が実際に逆走を行っているか否かを交通情報センタから配信された交通情報に基づいて正確に確認することが可能となる。
【００２０】
また、請求項６に記載のプローブ情報収集システムによれば、違反走行を行ったことが検出された時点が、交通情報センタから取得された交通情報が作成された時期から所定期間以上経過している場合に、既に取得している交通情報よりも作成時期が新しい交通情報を交通情報センタから新たに取得し、新たに取得した交通情報に基づいて送信条件を満たすか否か判定するので、違反走行を行っていると検出された車両が実際に違反走行を行っているか否かを、より新しい交通情報に基づいて確認することが可能となる。
【００２１】
更に、請求項７に記載のプローブ情報収集システムによれば、交通情報センタから取得された交通情報が送信条件を満たしていると一旦判定された後に、既に取得している交通情報よりも作成時期が新しい交通情報を交通情報センタから新たに取得し、新たに取得した交通情報に基づいて送信条件を満たすか否か再度判定するので、違反走行を行っていると検出された車両が実際に違反走行を行っているか否かを、より新しい交通情報に基づいて確認することが可能となる。
【図面の簡単な説明】
【００２２】
【図１】本実施形態に係るプローブ情報収集システムを示した概略構成図である。
【図２】本実施形態に係るプローブ情報収集システムの構成を示したブロック図である。
【図３】プローブ情報ＤＢに記憶されるプローブ情報の一例を示した図である。
【図４】プローブ統計情報ＤＢに記憶される違反車情報の一例を示した図である。
【図５】ＶＩＣＳ情報の一例を示した図である。
【図６】本実施形態に係るナビゲーション装置の制御系を模式的に示すブロック図である。
【図７】本実施形態に係るプローブ情報収集処理プログラムのフローチャートである。
【図８】車両の逆走状態を検出する検出方法を示した図である。
【図９】従来のプローブ情報の収集態様を示した図である。
【図１０】本願発明のプローブ情報の収集態様を示した図である。
【発明を実施するための形態】
【００２３】
以下、本発明に係るプローブ情報収集システムについて具体化した一実施形態に基づき図面を参照しつつ詳細に説明する。先ず、本実施形態に係るプローブ情報収集システム１の概略構成について図１を用いて説明する。図１は本実施形態に係るプローブ情報収集システム１を示した概略構成図である。図２は本実施形態に係るプローブ情報収集システム１の構成を示したブロック図である。
【００２４】
図１に示すように、本実施形態に係るプローブ情報収集システム１は、ナビゲーション装置２を搭載した各車両３と、各車両３からプローブ情報を収集し、収集したプローブ情報に基づく交通情報等の作成・配信を行うプローブセンタ４と、交通情報の作成・配信を行う交通情報センタ５とから基本的に構成されている。尚、交通情報センタ５は、例えば、道路交通情報通信システム（ＶＩＣＳ(Vehicle Information and Communication System)）センタや、RDS-TMC（Radio Data System-Traffic Message Channel：ＦＭ多重放送による交通情報サービス）センタ等である。本実施形態においては、プローブセンタ４が作成・配信を行う交通情報を「プローブ情報」、交通情報センタ５が作成・配信を行う交通情報を「ＶＩＣＳ情報」と表現する。
【００２５】
車両３は全国の各道路を走行する車両であり、プローブカーとして後述のプローブセンタ４とともにプローブカーシステムを構成する。ここで、プローブカーシステムとは、車両をセンサとして情報を収集するシステムである。具体的には、車両３が速度データをはじめ、ステアリング操作やシフト位置等の各システムの作動状況をＧＰＳの位置情報とともに予め車両３に搭載された携帯電話機やＤＣＭ等の車両用の通信モジュール（以下、単に通信モジュールという）を介してプローブセンタ４に送信し、センタ側でその収集データを様々な情報として再利用するシステムをいう。
【００２６】
また、プローブセンタ４は、全国各地を走行する各車両３から送信された現在時刻や走行情報等を含むプローブ情報を収集して蓄積するとともに、蓄積されたプローブ情報から渋滞情報等の交通情報や道路に設定された規制を遵守しない走行（以下、違反走行という）を行っている車両（以下、違反車両という）に関する違反車情報等の配信情報（プローブ統計情報）を生成し、生成された配信情報を車両３に対して配信する情報配信センタである。尚、本実施形態では、特に道路に規定された進行方向と異なる方向に走行する所謂逆走を行っている違反車両（以下、逆走車両という）に関する情報を違反車情報として生成及び配信対象とする。
【００２７】
また、本実施形態に係るプローブ情報収集システム１では、特にプローブ情報として、違反走行（本実施形態では逆走を対象とする）をしていることが検出された車両３の現在位置や進行方向を示す情報についても取得する。そして、プローブセンタ４は、取得したプローブ情報に基づいて、逆走車両を特定し、上記した違反車情報を生成する。
【００２８】
一方、交通情報センタ５は、路上に設置された感知器を用いて、路上を走行する車両３を検出した検出結果や特定の機関（例えば警察庁）等から提供された情報を収集するとともに、その検出結果や提供情報に基づいて交通情報であるＶＩＣＳ情報を生成し、生成したＶＩＣＳ情報をＦＭ多重放送、光ビーコン、電波ビーコン、インターネット等により車両３に提供する情報提供センタである。尚、提供されるＶＩＣＳ情報としては、渋滞情報（渋滞度及び渋滞長）の他に、工事規制情報、事故情報、災害情報、駐車場情報、サービスエリア情報、パーキングエリア情報等がある。
【００２９】
また、車両３にはナビゲーション装置２が設置されている。ナビゲーション装置２は格納する地図データに基づいて自車位置周辺の地図を表示したり、地図画像上において車両の現在位置を表示したり、設定された目的地までの経路の探索及び案内を行う車載機である。また、ナビゲーション装置２はプローブセンタ４から受信した配信情報（逆走車両に関する情報を含む）や交通情報センタ５から受信したＶＩＣＳ情報を利用者に対して案内することも行う。尚、ナビゲーション装置２の詳細については後述する。
【００３０】
続いて、プローブ情報収集システム１を構成するプローブセンタ４の構成について図２を用いてより詳細に説明する。
【００３１】
プローブセンタ４は、図２に示すようにサーバ１１と、サーバ１１に接続された情報記録手段としてのプローブ情報ＤＢ１２と、プローブ統計情報ＤＢ１３と、センタ通信装置１４とから基本的に構成されている。
【００３２】
サーバ１１は、プローブセンタ４における各種制御を行う電子制御ユニットである。そして、演算装置及び制御装置としてのＣＰＵ２１、並びにＣＰＵ２１が各種の演算処理を行うに当たってワーキングメモリとして使用されるＲＡＭ２２、制御用のプログラムのほか、後述のプローブ情報収集処理プログラム（図７）等が記憶されたＲＯＭ２３等の内部記憶装置を備えている。
【００３３】
また、プローブ情報ＤＢ１２は、全国を走行する各車両３から収集したプローブ情報を累積的に記憶する記憶手段である。尚、本実施形態においては、車両３から収集されるプローブ情報として、違反走行（本実施形態では逆走を対象とする）をしていることが検出された車両３の現在位置や進行方向を示す情報が含まれる。
【００３４】
以下に、図３を用いてプローブ情報ＤＢ１２に記憶されるプローブ情報についてより詳細に説明する。図３はプローブ情報ＤＢ１２に記憶されるプローブ情報の一例を示した図である。
【００３５】
図３に示すように、プローブ情報は、違反走行（本実施形態では逆走を対象にする）が検出された車両３において、プローブ情報の送信時刻と、送信元の車両３を識別する車両ＩＤと、違反走行の内容（本実施形態では逆走となる）と、送信元の車両３の現在位置や進行方向とに関する情報等が含まれる。例えば、図３に示すプローブ情報は、１０：００：００にＩＤ“Ａ”の車両３が逆走状態にあって、ＩＤ“１００００１”のリンクの座標（ｘ１，ｙ１）を上り方向へ現在走行していることが記憶されている。同様にして、他のプローブ情報についても記憶されている。尚、“違反内容”や“リンクＩＤ”や“進行方向”に関する情報はプローブ情報として収集しない構成としても良い。
【００３６】
そして、プローブセンタ４は、プローブ情報ＤＢ１２に記憶されるプローブ情報を統計することによって、全国を走行する全ての逆走車両の現在位置や進行方向を特定する。そして、特定された逆走車両の現在位置や進行方向に関する情報を違反車情報としてプローブ統計情報ＤＢ１３に記憶する。
【００３７】
次に、図４を用いてプローブセンタ４によって作成され、プローブ統計情報ＤＢ１３に記憶される違反車情報について詳細に説明する。図４はプローブ統計情報ＤＢ１３に記憶される違反車情報の一例を示した図である。
【００３８】
図４に示すように違反車情報は、違反走行（本実施形態では逆走を対象にする）が検出された違反車両の位置するリンクのリンクＩＤと、違反車両の進行方向と、違反車両の位置座標と、違反走行の内容（本実施形態では逆走となる）とから構成される。例えば、図４に示す違反車情報では、リンクＩＤ『１００００１』のリンクの上り方向の地点（Ｘ１、Ｙ１）に、逆走車両が位置することを示している。同様にして、他の違反車情報についても記憶されている。
【００３９】
また、センタ通信装置１４は、車両３とネットワーク１５を介して通信を行う為の通信装置である。本実施形態では、センタ通信装置１４を介してプローブ情報や配信情報を各車両３との間で送受信する。
【００４０】
次に、交通情報センタ５について図２を用いて説明する。交通情報センタ５は、図２に示すようにＶＩＣＳ情報を記憶する交通情報ＤＢ１６と交通情報通信装置１７とを備える。
【００４１】
交通情報ＤＢ１６は、路面上に設置された感知器による車両の検出結果や特定の機関（例えば警察庁）等から提供された情報に基づいて生成された交通情報であるＶＩＣＳ情報が記憶される記憶手段である。そして、交通情報センタ５は所定時間毎（例えば５分毎）に交通情報ＤＢ１６に格納されたＶＩＣＳ情報から必要な情報を抽出し、通信装置を介してナビゲーション装置２に対して配信する。
【００４２】
また、交通情報通信装置１７は、ＦＭ多重放送、光ビーコン、電波ビーコン、インターネット等によりナビゲーション装置２に対してＶＩＣＳ情報の配信を行う通信装置である。そして、ナビゲーション装置２は、ＦＭ多重放送を介して車両３の位置する県や近隣県に関するＶＩＣＳ情報を受信する。また、電波ビーコンの設置された高速道路の走行中には、電波ビーコンを介して車両３の現在位置周辺（例えば２００ｋｍ以内）の該高速道路に関するＶＩＣＳ情報を更に受信する。また、光ビーコンの設置された主要一般道路の走行中には、光ビーコンを介して車両３の現在位置周辺（例えば３０ｋｍ以内）の該主要一般道路に関するＶＩＣＳ情報を更に受信する。また、インターネットに接続可能なエリアを走行中には、インターネットを介して車両３の現在位置周辺（例えば３０ｋｍ以内）のＶＩＣＳ）情報を受信することも可能である。
【００４３】
ここで、車両３が交通情報センタ５からＶＩＣＳ情報を取得する手段としては、上述したＦＭ多重放送、光ビーコン、電波ビーコン、インターネット等があるが、それぞれの手段によって、取得できる情報の新しさや通信コストが異なる。具体的には、ＦＭ多重放送は、通信コストは安いが最新の情報は取得できない。一方、インターネットは、通信コストは高いが最新の情報を取得できる。
【００４４】
また、ナビゲーション装置２に配信されるＶＩＣＳ情報としては、渋滞情報の他に、工事規制情報、事故情報、災害情報、駐車場情報、サービスエリア情報、パーキングエリア情報等がある。また、渋滞情報は、感知器が設置された主要な道路のみについて作成される。
【００４５】
以下に、図５を用いて交通情報ＤＢ１６に記憶されるＶＩＣＳ情報についてより詳細に説明する。図５は交通情報ＤＢ１６に記憶されるＶＩＣＳ情報の一例を示した図である。
図５に示すようにＶＩＣＳ情報は、リンクを識別するリンク番号と、そのリンクについての渋滞度、渋滞の区間を示す渋滞長、事故情報、工事情報等を示した詳細情報とから構成される。例えば、図５に示すＶＩＣＳ情報は、２０１２年８月６日の１３時５６分から１４時１分までの５分間に生成され１４時１分に配信される情報であり、リンク番号『４』のリンクについて、全区間において渋滞度が『渋滞』であることを示している。また、リンク番号『２』のリンクについて、１３：００〜１８：００の間において工事が行われ、本リンクや並走リンクにおいて進行方向の記載が解除される（即ち、一方通行の道路が双方向通行可能になる）虞のあることを示している。更に、リンク番号『１』のリンクについて、事故により通行止めであり、並走リンクにおいて進行方向の記載が解除される（即ち、一方通行の道路が双方向通行可能になる）虞のあることを示している。尚、リンクの一部のみが渋滞である場合には、渋滞の開始点の座標に関する情報と開始点からの渋滞区間の距離に関する情報についてもＶＩＣＳ情報に含まれる。
【００４６】
次に、車両３に搭載されたナビゲーション装置２の概略構成について図６を用いて説明する。図６は本実施形態に係るナビゲーション装置２を示したブロック図である。
【００４７】
図６に示すように本実施形態に係るナビゲーション装置２は、ナビゲーション装置２が搭載された車両３の現在位置を検出する現在位置検出部３１と、各種のデータが記録されたデータ記録部３２と、入力された情報に基づいて、各種の演算処理を行うナビゲーションＥＣＵ３３と、ユーザからの操作を受け付ける操作部３４と、ユーザに対して車両周辺の地図や施設の関する施設情報を表示する液晶ディスプレイ３５と、経路案内に関する音声ガイダンスを出力するスピーカ３６と、記憶媒体であるＤＶＤを読み取るＤＶＤドライブ３７と、プローブセンタ４や交通情報センタ５等の情報センタとの間で通信を行う通信モジュール３８と、から構成されている。
【００４８】
以下に、ナビゲーション装置２を構成する各構成要素について順に説明する。
現在位置検出部３１は、ＧＰＳ４１、車速センサ４２、ステアリングセンサ４３、ジャイロセンサ４４等からなり、現在の車両の位置、方位、車両の走行速度、現在時刻等を検出することが可能となっている。ここで、特に車速センサ４２は、車両の移動距離や車速を検出する為のセンサであり、車両の駆動輪の回転に応じてパルスを発生させ、パルス信号をナビゲーションＥＣＵ３３に出力する。そして、ナビゲーションＥＣＵ３３は発生するパルスを計数することにより駆動輪の回転速度や移動距離を算出する。尚、上記４種類のセンサをナビゲーション装置２が全て備える必要はなく、これらの内の１又は複数種類のセンサのみをナビゲーション装置２が備える構成としても良い。
【００４９】
また、データ記録部３２は、外部記憶装置及び記録媒体としてのハードディスク（図示せず）と、ハードディスクに記録された地図情報ＤＢ４５、配信情報ＤＢ４６及び所定のプログラム等を読み出すとともにハードディスクに所定のデータを書き込む為のドライバである記録ヘッド（図示せず）とを備えている。尚、データ記録部３２をハードディスクの代わりにメモリーカードやＣＤやＤＶＤ等の光ディスクにより構成しても良い。
【００５０】
ここで、地図情報ＤＢ４５は、例えば、道路（リンク）に関するリンクデータ、ノード点に関するノードデータ、各分岐点に関する分岐点データ、施設等の地点に関する地点データ、地図を表示するための地図表示データ、経路を探索するための探索データ、地点を検索するための検索データ等が記憶された記憶手段である。
【００５１】
また、配信情報ＤＢ４６は、プローブセンタ４から配信される渋滞情報や違反車情報（図４参照）等の配信情報、交通情報センタ５から配信されたＶＩＣＳ情報（図５参照）等が記憶された記憶手段である。
【００５２】
そして、ナビゲーションＥＣＵ３３は、後述のように地図情報ＤＢ４５に記憶された地図情報に基づいて、車両周辺の道路や施設を液晶ディスプレイ３５に表示するとともに、案内経路が設定されている場合には案内経路に沿った車両の走行の案内を行う。更に、配信情報ＤＢ４６に記憶された配信情報に基づいて、車両周辺を走行する逆走車両についても案内する。
【００５３】
一方、ナビゲーションＥＣＵ（エレクトロニック・コントロール・ユニット）３３は、ナビゲーション装置２の全体の制御を行う電子制御ユニットであり、演算装置及び制御装置としてのＣＰＵ５１、並びにＣＰＵ５１が各種の演算処理を行うにあたってワーキングメモリとして使用されるとともに、経路が探索されたときの経路データ等が記憶されるＲＡＭ５２、制御用のプログラムのほか、後述のプローブ情報収集処理プログラム（図７）等が記録されたＲＯＭ５３、ＲＯＭ５３から読み出したプログラムを記憶するフラッシュメモリ５４等の内部記憶装置を備えている。尚、ナビゲーションＥＣＵ３３は、プローブセンタ４のサーバ１１とともに処理アルゴリズムとしての各種手段を構成する。例えば、走行情報取得手段は、車両３の走行情報を取得する。違反走行検出手段は、車両３の走行情報に基づいて、車両３が道路に設定された規制を遵守しない走行である違反走行（本実施形態では特に逆走）を行ったことを検出する。交通情報取得手段は、交通情報センタ５から配信される交通情報を取得する。送信判定手段は、違反走行検出手段によって車両３が道路で違反走行を行ったことが検出された場合に、道路の周辺の交通情報が違反走行に基づく送信条件を満たすか否か判定する。情報送信手段は、送信判定手段によって交通情報が送信条件を満たしていると判定された場合に、違反走行に関する情報をプローブ情報としてプローブセンタ４へ送信する。経過判定手段は、違反走行検出手段によって車両３が道路で違反走行を行ったことが検出された時点が、交通情報取得手段により取得された交通情報が作成された時期から所定期間以上経過しているか否か判定する。
【００５４】
操作部３４は、走行開始地点としての出発地及び走行終了地点としての目的地を入力する際等に操作され、各種のキー、ボタン等の複数の操作スイッチ（図示せず）から構成される。そして、ナビゲーションＥＣＵ３３は、各スイッチの押下等により出力されるスイッチ信号に基づき、対応する各種の動作を実行すべく制御を行う。尚、操作部３４は液晶ディスプレイ３５の前面に設けたタッチパネルによって構成することもできる。また、マイクと音声認識装置によって構成することもできる。
【００５５】
また、液晶ディスプレイ３５には、道路を含む地図画像、交通情報、操作案内、操作メニュー、キーの案内、出発地から目的地までの案内経路、案内経路に沿った案内情報、ニュース、天気予報、時刻、メール、テレビ番組等が表示される。特に本実施形態では、逆走車両が車両３の進行方向前方の所定距離以内（例えば７００ｍ）に接近した場合には、逆走車両をユーザに報知する為の案内表示を出力する。
【００５６】
また、スピーカ３６は、ナビゲーションＥＣＵ３３からの指示に基づいて案内経路に沿った走行を案内する音声ガイダンスや、交通情報の案内を出力する。特に本実施形態では、逆走車両が車両３の進行方向前方の所定距離以内（例えば７００ｍ）に接近した場合には、逆走車両をユーザに報知する為の案内音声を出力する。
【００５７】
また、ＤＶＤドライブ３７は、ＤＶＤやＣＤ等の記録媒体に記録されたデータを読み取り可能なドライブである。そして、読み取ったデータに基づいて音楽や映像の再生、地図情報ＤＢ４５の更新等が行われる。
【００５８】
また、通信モジュール３８は、例えば、交通情報センタ５やプローブセンタ４等から送信された渋滞情報、規制情報、交通事故情報等の各情報を受信する為の通信装置であり、例えば携帯電話機やＤＣＭが該当する。また、プローブ情報や配信情報をプローブセンタ４との間で送受信するのにも用いられる。
【００５９】
続いて、前記構成を有するプローブ情報収集システム１を構成するナビゲーション装置２及びプローブセンタ４において実行するプローブ情報収集処理プログラムについて図７に基づき説明する。図７は本実施形態に係るプローブ情報収集処理プログラムのフローチャートである。ここで、プローブ情報収集処理プログラムは車両３のＡＣＣがＯＮされた後に所定間隔で実行され、違反走行（本実施形態では逆走を対象とする）をしていることが検出された車両３の現在位置や進行方向を示す情報をプローブ情報としてプローブセンタ４へと送信するプログラムである。尚、以下の図７にフローチャートで示されるプログラムは、ナビゲーションＥＣＵ３３が備えているＲＡＭ５２やＲＯＭ５３又はサーバ１１が備えているＲＡＭ２２やＲＯＭ２３等に記憶されており、ＣＰＵ５１又はＣＰＵ２１により実行される。
【００６０】
先ず、ナビゲーション装置２において実行されるプローブ情報収集処理プログラムについて説明する。
ステップ（以下、Ｓと略記する）１においてＣＰＵ５１は、車両３の車両情報について取得する。具体的には、車両３の現在位置及び現在方位を現在位置検出部３１の検出結果に基づいて取得する。尚、車両３の現在位置を地図データ上で特定するマップマッチング処理についても行う。更に、車両３の現在位置は、高精度ロケーション技術を用いて詳細に特定することが望ましい。ここで、高精度ロケーション技術とは、車両後方のカメラから取り込んだ白線や路面ペイント情報を画像認識により検出し、更に、白線や路面ペイント情報を予め記憶した地図情報ＤＢと照合することにより、走行車線や高精度な車両位置を検出可能にする技術である。尚、高精度ロケーション技術の詳細については既に公知であるので省略する。
【００６１】
次に、Ｓ２においてＣＰＵ５１は、前記Ｓ１で取得した車両情報と車両３の走行する道路に設定された進行方向とに基づいて、車両が逆走状態にあるか否かを判定する。以下に、前記Ｓ２の逆走状態の判定処理について図８を用いてより詳細に説明する。
【００６２】
先ず、ＣＰＵ５１は、車両３が現在走行する道路に設定された進行方向を取得する。尚、車両が現在走行する道路は、直前に実行された前記Ｓ１において取得された車両の現在位置が含まれるリンクとなる。従って、図８に示すようにＣＰＵ５１は、車両３の現在位置６１が含まれるリンク６２のリンクデータを地図情報ＤＢ４５より取得し、取得したリンク６２のリンクデータに基づいて、車両３が現在走行する道路（即ち、リンク６２）に設定された進行方向を取得する。次に、ＣＰＵ５１は、車両３が現在走行する道路に設定された進行方向（図８の矢印６３方向）に対して、前記Ｓ１において取得された車両３の現在方位（図８の矢印６４方向）が所定角度（例えば１３５度）以上異なる状態で、車両３が所定距離（例えば５０ｍ）以上走行しているか否か判定する。そして、車両３が現在走行する道路に設定された走行方向に対して車両３の現在方位が所定角度以上異なる状態で、所定距離以上走行している場合に、ＣＰＵ５１は車両が逆走状態にあると判定する。
尚、前記Ｓ２の逆走状態の判定処理内容については、上記例に限られることはない。例えば、一方通行区間の走行中に車両がＵターンした場合に、車両が逆走状態にあると判定する構成としても良い。
【００６３】
そして、車両３が逆走状態にあると判定した場合（Ｓ２：ＹＥＳ）には、Ｓ３へと移行する。それに対して、車両３が逆走状態にないと判定した場合（Ｓ２：ＮＯ）には、プローブ情報を送信することなく当該プローブ情報収集処理プログラムを終了する。
【００６４】
Ｓ３においてＣＰＵ５１は、交通情報センタ５から車両３が走行する道路周辺のＶＩＣＳ情報を取得する。尚、ＶＩＣＳ情報の取得は、ＦＭ多重放送、電波ビーコン、光ビーコン、インターネットのいずれかを介して行われる。尚、前記Ｓ３で取得するＶＩＣＳ情報には、渋滞情報の他に、工事規制情報、事故情報、災害情報に関する情報も含む（図５参照）。
【００６５】
次に、Ｓ４においてＣＰＵ５１は、前記Ｓ３で取得したＶＩＣＳ情報に基づいて、車両３が走行する道路周辺のＶＩＣＳ情報がプローブ情報の送信条件を満たすか否か判定する。ここで、プローブ情報の送信条件は、車両３が行っていると判定された違反走行の内容に基づいて決定され、より具体的には“取得されたＶＩＣＳ情報が、車両３が違反走行を行っていると判定された判定結果に誤判定の虞があることを示す情報でないこと”を条件とする。
【００６６】
例えば、本実施形態では違反走行として逆走を対象としている。ここで、工事や事故や災害等により道路の規制が一時的に解除又は変更される（例えば一方通行の道路が双方向通行可能になる）場合があり、その場合には実際には違反走行を行っていない多数の車両から一度に大量の通信データが送信される虞がある。例えば、図９では本来、中央分離帯によって往復の方向別に一方通行となっている道路が一時的に対面通行になっている例を示す。この場合において、道路に規定されている進行方向と異なる方向に走行する車両７１と車両７２は、実際には違反走行を行っていないが、ＶＩＣＳ情報を考慮せずに、車両情報と地図情報のみから判断することとすると、違反走行を行っていると判定される。従って、車両７１及び車両７２に搭載された各ナビゲーション装置２では、自車両が逆走状態にあると判定されることとなり、従来技術では車両７１及び車両７２から自車両の位置や進行方向を示すプローブ情報がプローブセンタ４へと送信されることとなる。しかしながら、車両７１及び車両７２から送信されるプローブ情報は実際には違反走行を行っていない車両から送信される情報であり、不要なプローブ情報である。
【００６７】
そこで、本願発明では、“ＶＩＣＳ情報が、車両３が逆走する道路に設定されている進行方向の規制が一時的に解除又は変更される事象が生じていることを示す情報でないこと”、より具体的には“車両３が逆走する道路又は該道路と並走する道路に工事規制、事故又は災害が生じていることを示す情報でないこと”を前記Ｓ４のプローブ情報の送信条件とする。それによって、図１０に示すように違反走行を行っていない車両７１及び車両７２から不要なプローブ情報がプローブセンタ４へと送信されないように構成することが可能となる。
【００６８】
尚、違反走行として逆走を対象とする本実施形態では、前記Ｓ４の判定基準となる送信条件を、“ＶＩＣＳ情報が、車両３が逆走する道路に設定されている進行方向の規制が一時的に解除又は変更される事象が生じていることを示す情報でないこと”、より具体的には“車両３が逆走する道路又は該道路と並走する道路に工事規制、事故又は災害が生じていることを示す情報でないこと”とするが、対象とする違反走行を逆走以外とすれば、送信条件についても変更する必要がある。
【００６９】
そして、前記Ｓ４の判定処理において、車両３が走行する道路周辺のＶＩＣＳ情報がプローブ情報の送信条件を満たすと判定された場合（Ｓ４：ＹＥＳ）には、Ｓ５へと移行する。それに対して、車両３が走行する道路周辺のＶＩＣＳ情報がプローブ情報の送信条件を満たしていないと判定された場合（Ｓ４：ＮＯ）には、プローブ情報を送信することなく当該プローブ情報収集処理プログラムを終了する。
【００７０】
Ｓ５においてＣＰＵ５１は、前記Ｓ２において車両３が逆走状態にあると判定された時点が、前記Ｓ３で取得したＶＩＣＳ情報が作成された時期から所定期間以上経過しているか否か判定する。ここで、前記Ｓ５の判定条件となる所定期間は、ＶＩＣＳ情報の信頼性を確保できる時間であり、情報の内容毎に設定しても良い。例えば、状況が変わり易い事故情報であれば１時間とし、状況の変わり難い災害情報や工事情報であればより長い３時間とする。
【００７１】
そして、前記Ｓ２において車両３が逆走状態にあると判定された時点が、前記Ｓ３で取得したＶＩＣＳ情報が作成された時期から所定期間以上経過していると判定された場合（Ｓ５：ＹＥＳ）には、Ｓ６へと移行する。それに対して、前記Ｓ２において車両３が逆走状態にあると判定された時点が、前記Ｓ３で取得したＶＩＣＳ情報が作成された時期から所定期間以上経過していないと判定された場合（Ｓ５：ＮＯ）には、Ｓ８へと移行する。
【００７２】
Ｓ６においてＣＰＵ５１は、前記Ｓ３で取得したＶＩＣＳ情報よりも作成時期の新しいＶＩＣＳ情報を交通情報センタ５から再度取得する。ここで、上述したように車両３が交通情報センタ５からＶＩＣＳ情報を取得する手段としては、ＦＭ多重放送、光ビーコン、電波ビーコン、インターネット等があるが、それぞれの手段によって、取得できる情報の新しさや通信コストが異なる。従って、前記Ｓ３においてＦＭ多重放送を介してＶＩＣＳ情報を取得していた場合には、より新しい情報が取得可能なインターネットを介してＶＩＣＳ情報を再度取得するように構成する。尚、ＶＩＣＳ情報を取得するセンタは、前記Ｓ２で取得したセンタと異なるセンタとしても良い。また、既に取得しているＶＩＣＳ情報よりも新しい情報が無い場合には、前記Ｓ６の処理は行わないようにしても良い。
【００７３】
その後、Ｓ７においてＣＰＵ５１は、前記Ｓ３で新たに取得したＶＩＣＳ情報に基づいて、車両３が走行する道路周辺のＶＩＣＳ情報がプローブ情報の送信条件を満たすか否か再度判定する。尚、具体的な処理内容は前記Ｓ４と同様であるので省略する。
【００７４】
そして、前記Ｓ７の判定処理において、車両３が走行する道路周辺のＶＩＣＳ情報がプローブ情報の送信条件を満たすと判定された場合（Ｓ７：ＹＥＳ）には、Ｓ８へと移行する。それに対して、車両３が走行する道路周辺のＶＩＣＳ情報がプローブ情報の送信条件を満たしていないと判定された場合（Ｓ７：ＮＯ）には、プローブ情報を送信することなく当該プローブ情報収集処理プログラムを終了する。
【００７５】
Ｓ８においてＣＰＵ５１は、前記Ｓ１で取得した車両情報等をプローブセンタ４へとプローブ情報として送信する。具体的には、“プローブ情報の送信時刻”と、“送信元の車両３を識別する車両ＩＤ”と、“違反走行の内容（本実施形態では逆走となる）”と、“送信元の車両３の現在位置や進行方向”を送信する。その後、当該プローブ情報収集処理プログラムを終了する。
【００７６】
次に、プローブセンタ４において実行されるプローブ情報収集処理プログラムについて説明する。
先ず、Ｓ１１においてＣＰＵ２１は、全国を走行する各車両３からプローブ情報の送信があるか否か判定する。
【００７７】
そして、プローブ情報の送信があると判定された場合（Ｓ１１：ＹＥＳ）には、送信されるプローブ情報を受信する（Ｓ１２）。そして、ＣＰＵ２１は受信したプローブ情報をプローブ情報ＤＢ１２へと累積的に格納する（Ｓ１３）。
【００７８】
一方、プローブ情報の送信がないと判定された場合（Ｓ１１：ＮＯ）には、当該プローブ情報収集処理プログラムを終了する。尚、前記Ｓ１２で受信するプローブ情報は、逆走車両から送信される車両の現在位置や進行方向を示す情報である（図３参照）。
【００７９】
その後、Ｓ１４においてＣＰＵ２１は、前記Ｓ１３でプローブ情報ＤＢ１２に格納されたプローブ情報に対して統計処理を行うことにより、道路に設定された規制を遵守しない違反走行（本実施形態では特に逆走を対象にする）を行っている違反車両に関する違反車情報（図４）を作成する。ここで、違反車情報の作成は、前記Ｓ１２で新たなプローブ情報を受信する度に実行する構成としても良いし、前回作成した時から所定期間（例えば１時間）経過後に実行する構成としても良い。尚、作成された違反車情報は車両３に配信する配信情報としてプローブ統計情報ＤＢ１３に格納される。
【００８０】
次に、Ｓ１５においてＣＰＵ２１は、プローブ統計情報ＤＢ１３に格納されている違反車情報を、配信情報として要求のあったナビゲーション装置２に配信する。
【００８１】
一方、プローブセンタ４から配信された配信情報を受信した車両３は、受信した配信情報に基づいて逆走車両に関する案内を行う。具体的には、車両３の進行方向前方の所定距離（例えば７００ｍ）以内に逆走車両がある場合に、逆走車両に対する案内を行う。具体的には、液晶ディスプレイ３５に表示された地図画像上の逆走車両が位置する地点においてマークを表示したり、スピーカ３６から逆走車両の注意喚起を行う音声を出力する。
【００８２】
以上詳細に説明した通り、本実施形態に係るプローブ情報収集システム１では、車両３が逆走状態にあることが検出された場合に、交通情報センタ５からＶＩＣＳ情報を取得し（Ｓ３）、取得したＶＩＣＳ情報が、車両３において検出された違反走行に基づく送信条件を満たしているか否か判定し（Ｓ４）、送信条件を満たしていると判定された場合に、違反走行に関する情報をプローブ情報として車両３からプローブセンタ４へ送信する（Ｓ８）ので、実際には違反走行を行っていない車両３から違反走行に関するプローブ情報がプローブセンタ４へと送信されないように構成することが可能となる。その結果、車両３とプローブセンタ４との間の不要な通信を削減することが可能となり、車両３とプローブセンタ４との間の通信処理、通信時間及び通信費用等を削減することが可能となる。
また、交通情報センタ５はプローブセンタ４と異なるセンタであるので、車両３とプローブセンタ４との間で通信を行うことなく、プローブ情報が送信条件を満たしているか否かを判定することが可能となる。従って、車両３とプローブセンタ４との間の通信処理、通信時間及び通信費用等をより削減することが可能となる。
また、特に車両３が道路を逆走したことを違反走行として検出するので、実際には逆走していない車両３から違反走行に関するプローブ情報がプローブセンタ４へと送信されないように構成することが可能となる。
また、交通情報センタ５から配信されるＶＩＣＳ情報が、車両３が逆走した道路に設定されている進行方向の規制が一時的に解除又は変更される事象が生じていることを示す情報でない場合に、違反走行に関する情報をプローブ情報として車両３からプローブセンタ４へ送信するので、逆走を行っていると検出された車両３が実際に逆走を行っているか否かを交通情報センタ５から配信された交通情報に基づいて確認することが可能となる。
また、交通情報センタ５から配信されるＶＩＣＳ情報が、車両３が逆走した道路又は該道路と並走する道路に工事規制、事故又は災害が生じていることを示す情報でない場合に、違反走行に関する情報をプローブ情報として車両３からプローブセンタ４へ送信するので、逆走を行っていると検出された車両３が実際に逆走を行っているか否かを交通情報センタ５から配信された交通情報に基づいて正確に確認することが可能となる。
また、違反走行を行ったことが検出された時点が、交通情報センタ５から取得されたＶＩＣＳ情報が作成された時期から所定期間以上経過している場合に、既に取得しているＶＩＣＳ情報よりも作成時期が新しいＶＩＣＳ情報を交通情報センタ５から新たに取得し、新たに取得したＶＩＣＳ情報に基づいて送信条件を満たすか否か判定する（Ｓ７）ので、違反走行を行っていると検出された車両３が実際に違反走行を行っているか否かを、より新しい交通情報に基づいて確認することが可能となる。
更に、交通情報センタ５から取得されたＶＩＣＳ情報が送信条件を満たしていると一旦判定された後に、既に取得しているＶＩＣＳ情報よりも作成時期が新しいＶＩＣＳ情報を交通情報センタ５から新たに取得し、新たに取得したＶＩＣＳ情報に基づいて送信条件を満たすか否か再度判定するので、違反走行を行っていると検出された車両３が実際に違反走行を行っているか否かを、より新しい交通情報に基づいて確認することが可能となる。
【００８３】
尚、本発明は前記実施形態に限定されるものではなく、本発明の要旨を逸脱しない範囲内で種々の改良、変形が可能であることは勿論である。
例えば、本実施形態では、ＶＩＣＳ情報が送信条件を満たしているかを判定（Ｓ４、Ｓ７）する判定主体は、ナビゲーション装置２であったが、プローブセンタ４やその他のセンタが実行する構成としても良い。また、複数の主体によって実行する構成としても良い。尚、プローブセンタ４が判定する場合には、プローブセンタ４が交通情報センタ５からＶＩＣＳ情報を取得し、更に、判定結果をプローブセンタ４からナビゲーション装置２へと送信するように構成する。
【００８４】
また、本実施形態では、プローブセンタ４と交通情報の配信元である交通情報センタ５とを別々のセンタとしているが、プローブセンタ４が交通情報を配信する構成としても良い。また、交通情報としてはＶＩＣＳ情報以外の情報（例えばプローブセンタでプローブ情報に基づいて作成された交通情報）を取得する構成としても良い。
【００８５】
また、本実施形態では、違反走行として特に逆走を対象としているが、逆走以外の違反走行を対象としても良い。例えば、速度違反、信号無視、一時停止違反、駐車違反等を対象としても良い。また、対象とする違反走行の内容によって前記Ｓ４及びＳ７で判定基準となる送信条件は適宜設定する必要がある。
【００８６】
また、プローブ情報収集処理プログラム（図７）において、Ｓ５及びＳ６の処理はＳ４の判定処理の前に実行する構成としても良い。その場合には、Ｓ７の判定処理については省略可能である。
【符号の説明】
【００８７】
１              プローブ情報収集システム
２              ナビゲーション装置
３              車両
４              プローブセンタ
５              交通情報センタ
１１            サーバ
２１            ＣＰＵ
２２            ＲＡＭ
２３            ＲＯＭ
３３            ナビゲーションＥＣＵ
５１            ＣＰＵ
５２            ＲＡＭ
５３            ＲＯＭ
【図１】
2014010560.tif 000003
【図２】
2014010560.tif 000004
【図３】
2014010560.tif 000005
【図４】
2014010560.tif 000006
【図５】
2014010560.tif 000007
【図６】
2014010560.tif 000008
【図７】
2014010560.tif 000009
【図８】
2014010560.tif 000010
【図９】
2014010560.tif 000011
【図１０】
2014010560.tif 000012